(57)【要約】      （修正有）【課題】構造が簡単であり、優れた弾性変形能力を有する導電端子、及びこれを用いた電気コネクタを提供する。【解決手段】電気コネクタの導電端子２０は、基部２１と、前記基部の一側から上向きに延出する弾性アーム２３と、前記基部の他側から折曲がって延出する半田テール部２５と、前記弾性アームの末端から外方へ先細りに延出する接触アーム２４とを含む導電端子２０であって、前記弾性アームと基部とが面一であり、前記弾性アームが波状式に延出していることを特徴とする。導電端子の弾性アームが波状式に延出しているので、弾性アームの長さが増加して、優れた弾性変形能力を有する。【選択図】図３
0003156557.tif 000002
【実用新案登録請求の範囲】
【請求項１】
基部と、
前記基部の一側から上向きに延出する弾性アームと、
前記基部の他側から折曲がって延出する半田テール部と、
前記弾性アームの末端から外方へ先細りに延出する接触アームと、
を含む導電端子において、
前記弾性アームと基部とが面一であり、前記弾性アームが波状式に延出していることを特徴とする導電端子。
【請求項２】
前記導電端子において、前記接触アームと前記半田テール部とが平行に配置されている特徴とする請求項１に記載の導電端子。
【請求項３】
複数の端子収容通路が形成される絶縁ハウジングと、
前記端子収容通路に対応して収容される複数の導電端子と、
を含む電気コネクタにおいて、
前記導電端子は、基部と、前記基部の一側から上向きに延出する弾性アームと、前記基部の他側から折曲がって延出する半田テール部と、前記弾性アームの末端から外方へ先細りに延出する接触アームと、を含み、
前記導電端子の弾性アームと基部とが面一であり、前記弾性アームが波状式に延出していることを特徴とする電気コネクタ。
【請求項４】
前記導電端子の接触アームに対向している、前記端子収容通路の側壁に、斜面部が形成されることを特徴とする請求項３に記載の電気コネクタ。
【考案の詳細な説明】
【技術分野】
【０００１】
本考案は、ZIF（Zero Insertion Force）型電気コネクタに関し、特に、ＩＣパッケージとプリント基板とを接続するための導電端子、及びこれを用いた電気コネクタに関する。
【背景技術】
【０００２】
従来技術の電気コネクタの一例として、特許文献１に開示された電気コネクタが知られている。その導電端子は、該導電端子を絶縁ハウジングに安定して保持する基部と、該基部の一端から延出し、プリント基板に接続される半田部と、該半田部の基部から離れた側の一端から上向きに延出する、ＩＣパッケージの挿入ピンに接続される弾性部とを有している。前記弾性部は、対向する一対の弾性アームと、各弾性アームの末端から外方に先細りに延出するように形成されるガイドアームとを含んでいる。前記一対のガイドアームの間には、ＩＣパッケージの挿入ピン用の挿入空間が形成され、前記一対の弾性アームの間には、前記挿入空間より小さい接続空間が形成され、前記挿入空間と接続空間とは連通している。
【０００３】
使用する時、電気コネクタがプリント基板に実装され、ＩＣパッケージが上方から電気コネクタに設置される。ＩＣパッケージの挿入ピンが前記導電端子の挿入空間にゼロ挿入力で挿入され、さらに、ＩＣパッケージの挿入ピンを接続空間へ移動させて、ＩＣパッケージの挿入ピンと弾性アームとが確実に接続され、このようにして、ＩＣパッケージとプリント基板との間に電気的に安定した接続が達成される。
【先行技術文献】
【特許文献】
【０００４】
【特許文献１】中国実用新案公告第２８０９９３６Ｙ号明細書
【考案の概要】
【考案が解決しようとする課題】
【０００５】
しかしながら、特許文献１に掲示された導電端子は、構造が複雑であり、電気コネクタの小型化に不利である。また、導電端子は、保持するための基部が増加するので、製造コストが高くなるという問題があった。そこで、新型な導電端子、及びこれを用いた電気コネクタを開発することが必要である。
【０００６】
本考案は、構造が簡単であり、優れた弾性変形能力を有する導電端子、及びこれを用いた電気コネクタを提供することを目的とする。
【課題を解決するための手段】
【０００７】
本考案の導電端子は、基部と、前記基部の一側から上向きに延出する弾性アームと、前記基部の他側から折曲がって延出する半田テール部と、前記弾性アームの末端から外方へ先細りに延出する接触アームとを含む導電端子において、前記弾性アームと基部とが面一であり、前記弾性アームが波状式に延出していることを特徴とする。
【０００８】
本考案の電気コネクタは、複数の端子収容通路が形成される絶縁ハウジングと、前記端子収容通路に対応して収容される複数の導電端子と、を含む電気コネクタであって、前記導電端子は、基部と、前記基部の一側から上向きに延出する弾性アームと、前記基部の他側から折曲がって延出する半田テール部と、前記弾性アームの末端から外方へ先細りに延出する接触アームとを含み、前記導電端子の弾性アームと基部とが面一であり、前記弾性アームが波状式に延出していることを特徴とする。
【考案の効果】
【０００９】
従来技術に比べ、本考案の電気コネクタは、導電端子の弾性アームが波状式に延出しているので、弾性アームの長さが増加して、優れた弾性変形能力を有するという利点を有している。
【図面の簡単な説明】
【００１０】
【図１】本考案に係る電気コネクタの、組立斜視図である。
【図２】本考案に係る電気コネクタの、各端子収容通路と導電端子との組立斜視図である。
【図３】本考案に係る電気コネクタの、導電端子の斜視図である。
【考案を実施するための形態】
【００１１】
以下、図１〜図３を参照しながら、本考案の電気コネクタ１の実施形態について説明する。
【００１２】
電気コネクタ１は、プリント基板（図示せず）に実装されるとともに、ＩＣパッケージ（図示せず）に接続され、絶縁ハウジング１０と、前記絶縁ハウジングに保持される導電端子２０とを含んでいる。
【００１３】
前記絶縁ハウジング１０は矩形状であり、マトリックス状の複数の端子収容通路１１が形成されている。
【００１４】
図２を参照すると、各端子収容通路１１は枠状であり、第一側壁１１１が、その中間部における凹部１１２により仕切られ、その両端にそれぞれ、当接部１１３が形成されている。前記第一側壁１１１と対向している第二側壁１２１は、その中間部における凹部１２２によって仕切られ、その両端にそれぞれ、柱状体１２３が形成されている。前記柱状体１２３の端子収容通路１１側に位置する隅部は切り取られて、斜面部１２４がそれぞれ形成される。前記二側壁から前記第一側壁に向かう方向に、前記斜面部１２４が、それぞれ、ハ字状を形成するように端子収容通路１１まで延出することによって、端子収容通路１１の空間は増大される。前記第一側壁１１１と第二側壁１２１とを連接する両第三側壁１３１には、階段状の第一切り口１３２と、前記第一切り口１３２より低く位置する第二切り口１３３とが、それぞれ形成されている。
【００１５】
図３を参照すると、導電端子２０は金属板で加工して製造されている。各導電端子２０は、基部２１と、基部２１の両端の保持部２２と、基部２１の頂面から上向きに延出して、基部２１と面一となる一対の弾性アーム２３と、を含んでいる。前記弾性アーム２３は波状式に延出しており、各弾性アーム２３の末端において、接触アーム２４が折曲がって延出しており、前記弾性アーム２３から離れる方向に、一対の接触アーム２４がハ字状を形成するように外方へ先細りに延出している。前記基部２１の弾性アーム２３から反対側の底面には、前記接触アーム２４と平行に配置される半田テール部２５が折曲がって形成されている。
【００１６】
図２を参照すると、各導電端子２０は、前記端子収容通路１１に対応して収容されている。保持部２２は、端子収容通路１１の内部において干渉することで保持されている。導電端子２０の弾性アーム２３は、前記第一側壁１１１に沿って延出するように配置されている。前記接触アーム２４は、第二側壁１２１の方向に延出している。
【００１７】
ＩＣパッケージを使用する時、ＩＣパッケージの導電ピンが、前記接触アーム２４と柱状体１２３との間の空間に挿入される。次に、導電ピンを接触アーム２４の方向に移動させることによって、ＩＣパッケージの導電ピンと導電端子２０との間に電気的な接続を達成できると同時に、前記第一側壁１１１の当接部１１３によって、導電端子２０の弾性アーム２３が過度に変形することを防止できる。前記階段状の第一切り口１３２と第二切り口１３３とが形成されているため、導電ピンが導電端子２０の接触アーム２４に接触する時、接触アーム２４が、柱状体１２３の外方へ弾性変形することが可能になる。
【００１８】
本考案に係る導電端子２０の弾性アーム２３が波状式に延出しているので、弾性アーム２３の長さが増加して、優れた弾性変形能力を有する。
【００１９】
以上本考案について最良の実施形態を参照しながら詳細に説明したが、本実施形態はあくまでも例示的なものであり、これらに限定されない。また上述の説明は、本考案に基づき成し得る細部の修正、或は変更など、いずれも本考案の請求範囲に属するものとする。
【符号の説明】
【００２０】
１  電気コネクタ
１０  絶縁ハウジング
１１  端子収容通路
１１１  第一側壁
１１２、１２２  凹部
１１３  当接部
１２１  第二側壁
１２３  柱状体
１２４  斜面部
１３１  第三側壁
１３２  第一切り口
１３３  第二切り口
２０  導電端子
２１  基部
２２  保持部
２３  弾性アーム
２４  接触アーム
２５  半田テール部
【図１】
0003156557.tif 000003
【図２】
0003156557.tif 000004
【図３】
0003156557.tif 000005